(57)【要約】【課題】本発明はサイズ調節可能なコーヒースプーンを開示した。【解決手段】スプーン主体を含み、前記スプーン主体の中には幅機構が設置され、前記幅機構はリールと、糸と二つの幅広げブロックとを含み、前記リールが回転して前記糸を巻き付けられ、それにより二つの前記幅広げブロックを引き動かして互いに近づかせ、この装置は構成と操作が簡単で、コーヒースプーンの長さと撹拌するところの幅を変えることを通じて異なる規格のコーヒーカップに対応でき、汎用性が高く、コーヒーカップの規格に大きな差異があっても本発明のコーヒースプーンを使用でき、使用寿命も長く、生活コストを節約する。【選択図】図１
2020175091.tif 000002
【特許請求の範囲】
【請求項１】
スプーン主体を含み、前記スプーン主体の中には幅機構が設置され、前記幅機構はリールと、糸と二つの幅広げブロックとを含み、前記リールが回転して前記糸を巻き付けられ、それにより二つの前記幅広げブロックを引き動かして互いに近づかせ、前記幅機構はまたリミットブロックと、開口ブロックと、円溝と、弾性ブロックと三角柱とを含み、前記弾性ブロックと前記三角柱との間の抵抗力が前記円溝と前記開口ブロックとの間の摩擦力より大きく、前記幅機構の上側にはコーヒースプーンの長さを制御する長さ機構が設置され、前記長さ機構は圧縮された圧力ばねと、ネジ山ブロックと、中空ロッドと方形ブロックとを含み、前記ネジ山ブロックと前記中空ロッドとがネジ山によって噛み合っており、それにより前記幅機構の昇降を制御し、前記方形ブロックは下降して前記リミットブロックと接触した時に前記開口ブロックを回転連動させることができ、前記長さ機構はまた環状溝と三角ブロックとを含み、前記三角ブロックが前記環状溝のところに運動した時に前記環状溝により阻まれて前記環状溝の中で運動し、前記長さ機構はまた昇降ブロックと昇降溝とを含み、前記昇降ブロックが前記昇降溝での運動距離はコーヒースプーンの長さを決め、前記長さ機構はまた弧状溝及び前記弧状溝に沿って運動する弧状ブロックとを含み、前記長さ機構はまた円柱状ブロックを含み、前記弧状ブロックが前記弧状溝の中で前記円柱状ブロックを支えることができることを特徴とするサイズ調節可能なコーヒースプーン。
【請求項２】
前記長さ機構は弧状ブロックを含み、前記スプーン主体の中には長溝が設置され、前記中空ロッドの外側には円柱状ブロックが設置され、前記円柱状ブロックの中には円柱状溝が設置され、前記円柱状溝の左右端壁には昇降溝が対称的に設置され、前記昇降溝の上端壁の中には弧状溝が設置され、前記円柱状溝の中の前記スプーン主体には前記昇降溝とスライドできるように連結された昇降ブロックが左右対称的に固定され、前記長溝の端壁には前記中空ロッドとネジ山により噛み合っているネジ山ブロックが固定され、前記中空ロッドの上端面には鉛直溝が設置され、前記中空ロッドの中には前記鉛直溝に連通している環状溝が設置され、前記鉛直溝の中には鉛直ロッドがスライドできるように設置され、前記環状溝の下端壁の中には曲面溝が設置され、前記曲面溝の中には曲面ブロックが左右対称的にスライドできるように設置されており、
また、二つの前記曲面ブロックの間には一つの支持ブロックが固定され、前記鉛直ロッドの下端面の中心には前記支持ブロックを貫通している延伸ロッドが固定され、前記支持ブロックの上端面には二つの弾力溝が左右対称的に設置され、前記弾力溝の下端壁には弾力ばねが固定され、前記弾力ばねの上端には前記鉛直ロッドの下端面と固定された方向ガイドロッドが固定され、前記延伸ロッドの左端面には方形ブロックが固定され、前記鉛直ロッドの左端面には圧力溝が設置され、前記圧力溝の右端壁には圧力ばねが固定され、前記圧力ばねの左端には三角ブロックが固定され、前記中空ロッドには前記弧状溝とスライドできるように連結された弧状ブロックが左右対称的に固定され、前記中空ロッドを回転させ、前記ネジ山ブロックと前記中空ロッドとのネジ山による噛合により、前記スプーン主体を下降連動させることを特徴とする請求項１に記載のサイズ調節可能なコーヒースプーン。
【請求項３】
前記幅機構は前記幅広げブロックを含み、前記スプーン主体の下端面にはスプーンが固定され、前記長溝の下端壁の中には横向き溝が設置され、前記鉛直溝の下端壁には円溝が設置され、前記円溝の中には前記開口ブロックが回転できるように設置され、前記開口ブロックの上端面にはリミット溝が設置され、前記リミット溝の右端壁には前記リミットブロックが固定され、前記開口ブロックの下端面には糸巻き軸が固定され、前記長溝の端壁には六つの三角柱が環状になるように排列して固定され、前記糸巻き軸の左端面には右端壁に弾性ばねが固定された弾性溝が設置され、前記弾性ばねの左端には弾性ブロックが固定され、前記糸巻き軸にはリールが固定されており、
また、前記長溝の後端壁には定位ブロックが固定され、前記長溝の後端壁には移動溝が設置され、前記移動溝の中には移動ブロックがスライドできるように設置され、前記リールには前記定位ブロックを貫通しており、且つ前記移動ブロックと固定された糸が巻き付いており、前記移動溝の右端壁の中には上端壁に運動ばねが固定された運動溝が設置され、前記運動ばねの下端には前記運動溝とスライドできるように連結された運動ブロックが固定され、前記長溝の後端壁には伝動軸が回転できるように設置され、前記伝動軸には前記移動ブロック及び前記運動ブロックと噛み合っている伝動ギヤが固定され、前記横向き溝の中には前端面に斜めロッドが回転できるように設置された幅広げブロックが左右対称的にスライドできるように設置され、前記運動ブロックの前端面には中心軸が固定され、二つの前記斜めロッドがいずれも前記中心軸と回転できるように連結され、前記方形ブロックが前記リミットブロックにより阻まれるまで下降し、それにより前記リールを連動させて巻き付かせ又は前記リールを緩めることを特徴とする請求項１に記載のサイズ調節可能なコーヒースプーン。
【発明の詳細な説明】
【技術分野】
【０００１】
本発明はスプーン分野に関わり、具体的にはサイズ調節可能なコーヒースプーンである。
【背景技術】
【０００２】
コーヒースプーンはコーヒーを撹拌するスプーンであり、その作用はコーヒーの溶解を加速して加えられたコーヒーフレッシュと砂糖などをコーヒーと十分に混合するのであり、しかし既存のコーヒースプーンは単一であり、異なるサイズのコーヒーカップに対応するには異なるコーヒースプーンが必要であり、生産コストが比較的に高い。
【先行技術文献】
【特許文献】
【０００３】
【特許文献１】中国特許出願公開第１０６６６７２００号明細書
【発明の概要】
【発明が解決しようとする課題】
【０００４】
本発明はサイズ調節可能なコーヒースプーンを提供し、上記背景技術に取り上げられた問題を解決することを目的とする。
【課題を解決するための手段】
【０００５】
本発明のサイズ調節可能なコーヒースプーンは、スプーン主体を含み、前記スプーン主体の中には幅機構が設置され、前記幅機構はリールと、糸と二つの幅広げブロックとを含み、前記リールが回転して前記糸を巻き付けられ、それにより二つの前記幅広げブロックを引き動かして互いに近づかせ、前記幅機構はまたリミットブロックと、開口ブロックと、円溝と、弾性ブロックと三角柱とを含み、前記弾性ブロックと前記三角柱との間の抵抗力が前記円溝と前記開口ブロックとの間の摩擦力より大きく、前記幅機構の上側にはコーヒースプーンの長さを制御する長さ機構が設置され、前記長さ機構は圧縮された圧力ばねと、ネジ山ブロックと、中空ロッドと方形ブロックとを含み、前記ネジ山ブロックと前記中空ロッドとがネジ山によって噛み合っており、それにより前記幅機構の昇降を制御し、前記方形ブロックは下降して前記リミットブロックと接触した時に前記開口ブロックを回転連動させることができ、前記長さ機構はまた環状溝と三角ブロックとを含み、前記三角ブロックが前記環状溝のところに運動した時に前記環状溝により阻まれて前記環状溝の中で運動し、前記長さ機構はまた昇降ブロックと昇降溝とを含み、前記昇降ブロックが前記昇降溝での運動距離はコーヒースプーンの長さを決め、前記長さ機構はまた弧状溝及び前記弧状溝に沿って運動する弧状ブロックとを含み、前記長さ機構はまた円柱状ブロックを含み、前記弧状ブロックが前記弧状溝の中で前記円柱状ブロックを支えることができる。
【０００６】
好ましくは、前記長さ機構は弧状ブロックを含み、前記スプーン主体の中には長溝が設置され、前記中空ロッドの外側には円柱状ブロックが設置され、前記円柱状ブロックの中には円柱状溝が設置され、前記円柱状溝の左右端壁には昇降溝が対称的に設置され、前記昇降溝の上端壁の中には弧状溝が設置され、前記円柱状溝の中の前記スプーン主体には前記昇降溝とスライドできるように連結された昇降ブロックが左右対称的に固定され、前記長溝の端壁には前記中空ロッドとネジ山により噛み合っているネジ山ブロックが固定され、前記中空ロッドの上端面には鉛直溝が設置され、前記中空ロッドの中には前記鉛直溝に連通している環状溝が設置され、前記鉛直溝の中には鉛直ロッドがスライドできるように設置され、前記環状溝の下端壁の中には曲面溝が設置され、前記曲面溝の中には曲面ブロックが左右対称的にスライドできるように設置されている。
【０００７】
また、二つの前記曲面ブロックの間には一つの支持ブロックが固定され、前記鉛直ロッドの下端面の中心には前記支持ブロックを貫通している延伸ロッドが固定され、前記支持ブロックの上端面には二つの弾力溝が左右対称的に設置され、前記弾力溝の下端壁には弾力ばねが固定され、前記弾力ばねの上端には前記鉛直ロッドの下端面と固定された方向ガイドロッドが固定され、前記延伸ロッドの左端面には方形ブロックが固定され、前記鉛直ロッドの左端面には圧力溝が設置され、前記圧力溝の右端壁には圧力ばねが固定され、前記圧力ばねの左端には三角ブロックが固定され、前記中空ロッドには前記弧状溝とスライドできるように連結された弧状ブロックが左右対称的に固定され、前記中空ロッドを回転させ、前記ネジ山ブロックと前記中空ロッドとのネジ山による噛合により、前記スプーン主体を下降連動させる。
【０００８】
好ましくは、前記幅機構は前記幅広げブロックを含み、前記スプーン主体の下端面にはスプーンが固定され、前記長溝の下端壁の中には横向き溝が設置され、前記鉛直溝の下端壁には円溝が設置され、前記円溝の中には前記開口ブロックが回転できるように設置され、前記開口ブロックの上端面にはリミット溝が設置され、前記リミット溝の右端壁には前記リミットブロックが固定され、前記開口ブロックの下端面には糸巻き軸が固定され、前記長溝の端壁には六つの三角柱が環状になるように排列して固定され、前記糸巻き軸の左端面には右端壁に弾性ばねが固定された弾性溝が設置され、前記弾性ばねの左端には弾性ブロックが固定され、前記糸巻き軸にはリールが固定されている。
【０００９】
また、前記長溝の後端壁には定位ブロックが固定され、前記長溝の後端壁には移動溝が設置され、前記移動溝の中には移動ブロックがスライドできるように設置され、前記リールには前記定位ブロックを貫通しており、且つ前記移動ブロックと固定された糸が巻き付いており、前記移動溝の右端壁の中には上端壁に運動ばねが固定された運動溝が設置され、前記運動ばねの下端には前記運動溝とスライドできるように連結された運動ブロックが固定され、前記長溝の後端壁には伝動軸が回転できるように設置され、前記伝動軸には前記移動ブロック及び前記運動ブロックと噛み合っている伝動ギヤが固定され、前記横向き溝の中には前端面に斜めロッドが回転できるように設置された幅広げブロックが左右対称的にスライドできるように設置され、前記運動ブロックの前端面には中心軸が固定され、二つの前記斜めロッドがいずれも前記中心軸と回転できるように連結され、前記方形ブロックが前記リミットブロックにより阻まれるまで下降し、それにより前記リールを連動させて巻き付かせ又は前記リールを緩める。
【発明の効果】
【００１０】
以上により、本発明の有益な効果は：この装置は構成と操作が簡単で、コーヒースプーンの長さと撹拌するところの幅を変えることを通じて異なる規格のコーヒーカップに対応でき、汎用性が高く、コーヒーカップの規格に大きな差異があっても本発明のコーヒースプーンを使用でき、使用寿命も長く、生活コストを節約する。
【図面の簡単な説明】
【００１１】
次に図１−３を合わせて本発明を詳しく説明する。意思の疎通に便利なため、後文に出る方位を以下の通りに規定する：後文に出る上下左右前後方向は図１本体の投影関係の上下左右前後方向と一致する。
【００１２】
【図１】図１は本発明のサイズ調節可能なコーヒースプーンの全体全断面の正面構成概略図
【図２】図２は本発明のサイズ調節可能なコーヒースプーンの中の延伸ロッドの拡大構成概略図
【図３】図３は本発明のサイズ調節可能なコーヒースプーンの中の伝動ギヤの拡大構成概略図
【発明を実施するための形態】
【００１３】
本説明書に開示したすべての特徴、または開示したすべての方法または過程中のステップは、互いに排斥する特徴と／またはステップ以外に、いずれもあらゆる方式で組み合わせることができる。
【００１４】
図１−３を参照し、本発明のサイズ調節可能なコーヒースプーンは、スプーン主体１０を含み、前記スプーン主体１０の中には幅機構６０が設置され、前記幅機構６０はリール４９と、糸４７と二つの幅広げブロック３１とを含み、前記リール４９が回転して前記糸４７を巻き付けられ、それにより二つの前記幅広げブロック３１を引き動かして互いに近づかせ、前記幅機構６０はまたリミットブロック４０と、開口ブロック４１と、円溝３９と、弾性ブロック１１と三角柱１３とを含み、前記弾性ブロック１１と前記三角柱１３との間の抵抗力が前記円溝３９と前記開口ブロック４１との間の摩擦力より大きく、前記幅機構６０の上側にはコーヒースプーンの長さを制御する長さ機構６１が設置され、前記長さ機構６１は圧縮された圧力ばね１６と、ネジ山ブロック２４と、中空ロッド１９と方形ブロック４３とを含み、前記ネジ山ブロック２４と前記中空ロッド１９とがネジ山によって噛み合っており、それにより前記幅機構６０の昇降を制御し、前記方形ブロック４３は下降して前記リミットブロック４０と接触した時に前記開口ブロック４１を回転連動させることができ、前記長さ機構６１はまた環状溝１５と三角ブロック１７とを含み、前記三角ブロック１７が前記環状溝１５のところに運動した時に前記環状溝１５により阻まれて前記環状溝１５の中で運動し、前記長さ機構６１はまた昇降ブロック２３と昇降溝２５とを含み、前記昇降ブロック２３が前記昇降溝２５での運動距離はコーヒースプーンの長さを決め、前記長さ機構６１はまた弧状溝２１及び前記弧状溝２１に沿って運動する弧状ブロック２０とを含み、前記長さ機構６１はまた円柱状ブロック５７を含み、前記弧状ブロック２０が前記弧状溝２１の中で前記円柱状ブロック５７を支えることができる。
【００１５】
有益なように、前記長さ機構６１は弧状ブロック２０を含み、前記スプーン主体１０の中には長溝２８が設置され、前記中空ロッド１９の外側には円柱状ブロック５７が設置され、前記円柱状ブロック５７の中には円柱状溝２２が設置され、前記円柱状溝２２の左右端壁には昇降溝２５が対称的に設置され、前記昇降溝２５の上端壁の中には弧状溝２１が設置され、前記円柱状溝２２の中の前記スプーン主体１０には前記昇降溝２５とスライドできるように連結された昇降ブロック２３が左右対称的に固定され、前記長溝２８の端壁には前記中空ロッド１９とネジ山により噛み合っているネジ山ブロック２４が固定され、前記中空ロッド１９の上端面には鉛直溝５６が設置され、前記中空ロッド１９の中には前記鉛直溝５６に連通している環状溝１５が設置され、前記鉛直溝５６の中には鉛直ロッド１４がスライドできるように設置され、前記環状溝１５の下端壁の中には曲面溝３７が設置され、前記曲面溝３７の中には曲面ブロック３６が左右対称的にスライドできるように設置されている。
【００１６】
また、二つの前記曲面ブロック３６の間には一つの支持ブロック５８が固定され、前記鉛直ロッド１４の下端面の中心には前記支持ブロック５８を貫通している延伸ロッド３３が固定され、前記支持ブロック５８の上端面には二つの弾力溝３８が左右対称的に設置され、前記弾力溝３８の下端壁には弾力ばね３５が固定され、前記弾力ばね３５の上端には前記鉛直ロッド１４の下端面と固定された方向ガイドロッド３４が固定され、前記延伸ロッド３３の左端面には方形ブロック４３が固定され、前記鉛直ロッド１４の左端面には圧力溝１８が設置され、前記圧力溝１８の右端壁には圧力ばね１６が固定され、前記圧力ばね１６の左端には三角ブロック１７が固定され、前記中空ロッド１９には前記弧状溝２１とスライドできるように連結された弧状ブロック２０が左右対称的に固定され、前記中空ロッド１９を回転させ、前記ネジ山ブロック２４と前記中空ロッド１９とのネジ山による噛合により、前記スプーン主体１０を下降連動させる。
【００１７】
有益なように、前記幅機構６０は前記幅広げブロック３１を含み、前記スプーン主体１０の下端面にはスプーン２９が固定され、前記長溝２８の下端壁の中には横向き溝３０が設置され、前記鉛直溝５６の下端壁には円溝３９が設置され、前記円溝３９の中には前記開口ブロック４１が回転できるように設置され、前記開口ブロック４１の上端面にはリミット溝４２が設置され、前記リミット溝４２の右端壁には前記リミットブロック４０が固定され、前記開口ブロック４１の下端面には糸巻き軸２６が固定され、前記長溝２８の端壁には六つの三角柱１３が環状になるように排列して固定され、前記糸巻き軸２６の左端面には右端壁に弾性ばね２７が固定された弾性溝１２が設置され、前記弾性ばね２７の左端には弾性ブロック１１が固定され、前記糸巻き軸２６にはリール４９が固定されている。
【００１８】
また、前記長溝２８の後端壁には定位ブロック４８が固定され、前記長溝２８の後端壁には移動溝４６が設置され、前記移動溝４６の中には移動ブロック４４がスライドできるように設置され、前記リール４９には前記定位ブロック４８を貫通しており、且つ前記移動ブロック４４と固定された糸４７が巻き付いており、前記移動溝４６の右端壁の中には上端壁に運動ばね５０が固定された運動溝５１が設置され、前記運動ばね５０の下端には前記運動溝５１とスライドできるように連結された運動ブロック５２が固定され、前記長溝２８の後端壁には伝動軸４５が回転できるように設置され、前記伝動軸４５には前記移動ブロック４４及び前記運動ブロック５２と噛み合っている伝動ギヤ３２が固定され、前記横向き溝３０の中には前端面に斜めロッド５４が回転できるように設置された幅広げブロック３１が左右対称的にスライドできるように設置され、前記運動ブロック５２の前端面には中心軸５３が固定され、二つの前記斜めロッド５４がいずれも前記中心軸５３と回転できるように連結され、前記方形ブロック４３が前記リミットブロック４０により阻まれるまで下降し、それにより前記リール４９を連動させて巻き付かせ又は前記リール４９を緩める。
【００１９】
以下、出願人は付図１−３及び上記の本出願のサイズ調節可能なコーヒースプーンの具体的な構成を参考して本出願のサイズ調節可能なコーヒースプーンの使用方法を詳しく紹介する：
【００２０】
コーヒースプーンの長さを調節する時、中空ロッド１９を回転させ、中空ロッド１９とネジ山ブロック２４とのネジ山による噛み合いと、昇降ブロック２３と昇降溝２５との阻止とにより、スプーン主体１０を下降連動させる。
【００２１】
コーヒースプーンの撹拌するところの幅を調節する時、鉛直ロッド１４を押し、それにより三角ブロック１７が環状溝１５のところまで運動し、圧力ばね１６が復帰して三角ブロック１７を連動させて環状溝１５の中に入らせ、これにより三角ブロック１７が阻まれ、弾力ばね３５が圧縮され、方形ブロック４３がリミット溝４２の中に運動し、圧力ばね１６を回転させ、方形ブロック４３とリミットブロック４０との阻止により、糸巻き軸２６が連動して回転し、それによりリール４９を回転連動させ、糸４７を緩め又は巻きつけ、それにより移動ブロック４４を昇降連動させ、移動ブロック４４と伝動ギヤ３２との噛み合いと、伝動ギヤ３２と運動ブロック５２との噛み合いとにより、二つの幅広げブロック３１を連動させて互いに近づかせ又は離れさせる。
【００２２】
本発明の有益な効果は：この装置は構成と操作が簡単で、コーヒースプーンの長さと撹拌するところの幅を変えることを通じて異なる規格のコーヒーカップに対応でき、汎用性が高く、コーヒーカップの規格に大きな差異があっても本発明のコーヒースプーンを使用でき、使用寿命も長く、生活コストを節約する。
【００２３】
以上は、ただ発明の具体的な実施方式であり、発明の保護範囲はこれに限定されたものではなく、創造的な労働を通さなく想到できる全ての変化又は入れ替わりは、本発明の保護範囲の中に含む。したがって、発明の保護範囲は請求項に限定された保護範囲を基準とするべきである。
【図１】
2020175091.tif 000003
【図２】
2020175091.tif 000004
【図３】
2020175091.tif 000005